(57)【特許請求の範囲】
【請求項１】
アナログ放送の放送波信号とデジタル放送の放送波信号とが隣接して放送される放送システムのための受信機において、
上記アナログ放送を受信してそのアナログ放送によるオーディオ信号を出力する受信回路と、
上記デジタル放送の受信時に、上記受信回路において得られる中間周波信号をデジタル復調して上記デジタル放送によるオーディオ信号を出力するデジタル復調回路と、
上記アナログ放送の受信を検出する第１の検出回路と、
上記デジタル放送の受信を検出する第２の検出回路と、
上記デジタル復調回路の動作電圧を制御する制御回路と
を有し、
選局時、上記第１の検出回路が上記アナログ放送の放送波信号を検出するとともに、上記第２の検出回路が上記デジタル放送の放送波信号を検出したときのみ、上記制御回路により上記デジタル復調回路にその動作電圧を供給する
ようにした受信機。
【請求項２】
請求項１に記載の受信機において、
上記デジタル放送を受信できているとき、これを表示素子により表示する
ようにした受信機。
【請求項３】
請求項１に記載の受信機において、
上記アナログ放送あるいは上記デジタル放送を受信しているときには、表示素子を点灯させるとともに、
この点灯状態を、上記アナログ放送を受信しているときと、上記デジタル放送を受信しているときとで、異ならせる
ようにした受信機。
【請求項４】
アナログ放送の放送波信号とデジタル放送の放送波信号とが隣接して放送される放送システムのための受信機において、
上記アナログ放送を受信してそのアナログ放送によるオーディオ信号を出力する受信回路と、
上記デジタル放送の受信時に、上記受信回路において得られる中間周波信号をデジタル復調して上記デジタル放送によるオーディオ信号を出力するデジタル復調回路と、
上記アナログ放送の受信を検出する第１の検出回路と、
上記デジタル放送の受信を検出する第２の検出回路と、
上記デジタル復調回路の動作電圧を制御する制御回路と
を有し、
上記デジタル復調回路には、これにおいて同期が取れたとき、この同期の取れたことを示す同期フラグを設け、
選局時、上記第１の検出回路が上記アナログ放送の放送波信号を検出するとともに、上記第２の検出回路が上記デジタル放送の放送波信号を検出したとき、上記制御回路により上記デジタル復調回路にその動作電圧を供給し、
この動作電圧の供給から所定の時間内に、上記同期フラグが、上記デジタル復調回路において同期が取れたことを示したときには、上記デジタル復調回路への動作電圧の供給を続け、
上記同期フラグが、上記デジタル復調回路において同期が取れたことを示さないときには、上記デジタル復調回路への動作電圧の供給を停止する
ようにした受信機。
【発明の詳細な説明】
【０００１】
【発明の属する技術分野】
この発明は、アナログ放送およびデジタル放送のための受信機に関する。
【０００２】
【従来の技術】
現行のＡＭ放送やＦＭ放送においては、放送される素材の処理はデジタル化されつつあるが、放送そのものはアナログ方式である。
【０００３】
しかし、放送をデジタル化すれば、高音質の放送を提供できる、付加データサービスなどが可能になる、周波数利用効率を改善できるなどの理由で、放送そのものもデジタル化する動きが活発化しつつある。
【０００４】
【発明が解決しようとする課題】
ところが、デジタル放送を受信するには、とうぜんのことながら、これまでのアナログ放送受信機に代わってデジタル放送受信機が新たに必要になる。このため、アナログ放送からデジタル放送へ抵抗なくスムーズに移行できることが望まれ、その移行期間には、それまでのアナログ放送と、新しいデジタル放送とが共存できることが要求される。
【０００５】
この共存を可能とする放送方式はＩＢＯＣ方式と総称されているが、アナログ放送とデジタル放送とを、例えば図５Ａに示すような周波数配置とすることにより共存を実現するものである。
【０００６】
すなわち、図５Ａにおいて、符号ＳA は、これまでのアナログのＦＭ放送の放送波信号（ＦＭ信号）を示し、そのキャリア周波数は周波数ｆRXである。そして、このアナログ放送波信号ＳA に対してデジタル放送の放送波信号を共存させるときには、放送波信号ＳA の両側に隣接して、デジタル放送の放送波信号ＳD 、ＳD を配置する。
【０００７】
ただし、この場合、放送波信号ＳD 、ＳD は、どちらか一方だけのこともある。また、放送波信号ＳD による番組内容は、アナログ放送波信号ＳA による番組内容と、一般には同一とされる。さらに、将来的には、アナログ放送波信号ＳA を停波してデジタル放送波信号ＳD だけで放送を行い、あるいは、放送波信号ＳA をデジタル放送に使用する。なお、アナログ放送からデジタル放送への移行には、10年〜15年がかかると見られている。
【０００８】
したがって、リスナが共存に対応する場合には、移行期間から移行後も動作する受信機、すなわち、アナログ放送もデジタル放送も受信できる両用の受信機が必要となる。
【０００９】
この発明は、これまでのアナログ放送の受信回路に大きな手を加えなくてもデジタル放送を受信できるようにするとともに、さらに、不要な電力消費を抑えることができるようにしようとするものである。
【００１０】
【課題を解決するための手段】
このため、この発明においては、
アナログ放送の放送波信号とデジタル放送の放送波信号とが隣接して放送される放送システムのための受信機において、
上記アナログ放送を受信してそのアナログ放送によるオーディオ信号を出力する受信回路と、
上記デジタル放送の受信時に、上記受信回路において得られる中間周波信号をデジタル復調して上記デジタル放送によるオーディオ信号を出力するデジタル復調回路と、
上記アナログ放送の受信を検出する第１の検出回路と、
上記デジタル放送の受信を検出する第２の検出回路と、
上記デジタル復調回路の動作電圧を制御する制御回路と
を有し、
選局時、上記第１の検出回路が上記アナログ放送の放送波信号を検出するとともに、上記第２の検出回路が上記デジタル放送の放送波信号を検出したときのみ、上記制御回路により上記デジタル復調回路にその動作電圧を供給する
ようにした受信機
とするものである。
したがって、デジタル放送を受信する場合のみ、デジタル処理回路において電力が消費される。
【００１１】
【発明の実施の形態】
図１において、鎖線よりも上の部分１０が、これまでのアナログ放送の受信回路を示すもので、この受信回路１０の大部分は１チップＩＣ化されている。また、この受信回路１０は例えばＦＭ放送を受信するためのものである。
【００１２】
そして、アナログ放送の受信時には、アンテナ１１により受信されたアナログ放送の放送波信号が、電子同調方式のアンテナ同調回路１２に供給されて目的とする周波数ｆRXの受信信号ＳRXが選択されて取り出され、この受信信号ＳRXが高周波アンプ１３を通じてミキサ回路１４に供給される。
【００１３】
また、局部発振回路１５がＰＬＬにより構成され、受信周波数ｆRXから中間周波数ｆIFだけ離れた周波数の局部発振信号ＳLOが形成され、この信号ＳLOがミキサ回路１４に供給される。なお、このとき、局部発振回路１５を構成しているＰＬＬのＶＣＯ（図示せず）に供給される制御電圧の一部がアンテナ同調回路１２に選局電圧として供給される。
【００１４】
こうして、ミキサ回路１４において、受信信号ＳRXは中間周波信号ＳIF（中間周波数ｆIF）に周波数変換される。この場合、受信信号ＳRXが、図５Ａの共存方式の放送波信号のときには、中間周波信号ＳIFは、図５Ｂに示すように、中間周波数ｆIFの位置にアナログ放送の放送波信号ＳA から周波数変換された中間周波信号ＳAIを有し、その両側（あるいは片側）にデジタル放送の放送波信号ＳD から周波数変換された中間周波信号ＳDIを有する。また、受信信号ＳRXが、アナログ放送の放送波信号ＳA のときには、中間周波信号ＳIFは、中間周波信号ＳAIだけを有する。
【００１５】
そして、この中間周波信号ＳIFが、バンドパスフィルタ１６に供給されてアナログ放送の中間周波信号ＳAIが取り出され、この信号ＳAIがアンプ１７を通じてＦＭ復調回路１８に供給されてステレオコンポジット信号が復調され、この信号がステレオ復調回路１９に供給されて左および右チャンネルのオーディオ信号Ｌ、Ｒが取り出される。こうして、受信回路１０においては、アナログ放送の受信が行われる。
【００１６】
そして、この発明においては、節電・表示回路３０が次のように構成される。すなわち、受信信号ＳRXが共存方式の放送波信号のときには、ミキサ回路１４から例えば図５Ｂに示す中間周波信号ＳIFが取り出されるが、この信号ＳIFがバンドパスフィルタ２６に供給されてデジタル放送の中間周波信号ＳDIが取り出され、この信号ＳDIがアンプ２７を通じてデジタル復調回路２８に供給される。この復調回路２８は、これに供給された中間周波信号ＳDIに対して、デジタル放送の放送方式に対応した信号処理を実行して左および右チャンネルのアナログのオーディオ信号Ｌ、Ｒを復調して出力するものである。
【００１７】
さらに、アンプ１７における中間周波信号ＳAIの一部がレベル検出回路３１に供給され、アナログ放送の放送波信号ＳA の受信レベルが所定値以上のときに“Ｈ”レベルとなる検出信号Ｓ31が取り出され、この信号Ｓ31がアンド回路３３、３６に供給される。なお、実際には、検出回路３１は、その出力信号Ｓ31によりＬＥＤをドライブして同調表示を行うための同調表示回路である。
【００１８】
また、アンプ２７における中間周波信号ＳDIの一部がレベル検出回路３２に供給され、デジタル放送の放送波信号ＳD の受信レベルが所定値以上のときに“Ｈ”レベルとなる検出信号Ｓ32が取り出され、この信号Ｓ32がアンド回路３３に供給される。
【００１９】
そして、アンド回路３３の出力信号Ｓ33がパワーコントロール回路３４に供給され、Ｓ33＝“Ｈ”のとき、パワーコントロール回路３４からデジタル復調回路２８にその動作電圧が供給される。
【００２０】
さらに、検出回路３２の検出信号Ｓ32がパルス形成回路３５に供給され、
Ｓ32＝“Ｌ”のときには“Ｈ”レベルに固定
Ｓ32＝“Ｈ”のときには例えば0.5 秒ごとに反転
のように変化するパルスＰ35が形成され、このパルスＰ35がアンド回路３６に供給される。そして、このアンド回路３６の出力信号Ｓ36が表示素子、例えばＬＥＤ３７に供給される。
【００２１】
このような構成によれば、受信信号ＳRXにしたがって、次のような動作が行われる。
【００２２】
(1) 受信信号ＳRXがアナログ放送の放送波信号ＳA の場合
この場合には、Ｓ31＝“Ｈ”となる。また、Ｓ32＝“Ｌ”となるので、Ｐ35＝“Ｈ”となる。したがって、Ｓ36＝“Ｈ”となるので、ＬＥＤ３７が連続して点灯する。
また、この場合には、Ｓ32＝“Ｌ”なので、Ｓ33＝“Ｌ”となり、したがって、パワーコントロール回路３４から復調回路２８への動作電圧の供給は停止される。したがって、復調回路２８においては、電力は消費されない。
【００２３】
(2) 受信信号ＳRXが共存方式の放送波信号の場合
この場合には、Ｓ31＝“Ｈ”となる。また、Ｓ32＝“Ｈ”となるので、パルスＰ35が例えば0.5 秒ごとに反転する。したがって、信号Ｓ36はパルスＰ35に同期して反転することになるので、ＬＥＤ３７は間欠的に点灯、すなわち、点滅する。
また、この場合には、Ｓ31＝“Ｈ”であるとともに、Ｓ32＝“Ｈ”なので、Ｓ33＝“Ｈ”となり、したがって、パワーコントロール回路３４から復調回路２８へ動作電圧が供給される。したがって、復調回路２８は、その復調処理を実行するので、復調回路２８からはデジタル放送によるオーディオ信号Ｌ、Ｒが出力される。
【００２４】
(3) 放送を受信していない場合
この場合には、Ｓ31＝“Ｌ”なので、Ｓ36＝“Ｌ”であり、ＬＥＤ３７は消灯している。
また、Ｓ31＝“Ｌ”、Ｓ32＝“Ｌ”なので、Ｓ33＝“Ｌ”であり、復調回路２８には動作電圧は供給されない。
【００２５】
こうして、この受信機によれば、これまでのアナログ放送の受信回路１０に大きな手を加えなくても、鎖線から下の回路を追加するだけで、デジタル放送を受信できる。しかも、受信した放送がアナログ放送のときには、ＬＥＤ３７が連続点灯し、共存方式の放送のときには、ＬＥＤ３７は点滅し、放送を受信していないときには、ＬＥＤ３７は消灯するので、このＬＥＤ３７の点灯状態から放送を受信しているかどうか、受信しているとすれば、アナログ放送か共存方式の放送（デジタル放送）かを知ることができる。
【００２６】
また、受信した放送にデジタル放送が含まれる場合のみ、デジタル復調回路２８に動作電圧が供給されるので、よぶんな電力消費を抑えることができる。すなわち、アナログ放送受信機の消費電力は30 mＷ程度であるのに比べ、デジタル放送受信機の消費電力は１Ｗ前後となり、アナログ放送受信機の消費電力の30倍程度になっているので、アナログ放送およびデジタル放送を受信できる受信機において、デジタル復調回路２８に常に動作電圧を供給していると、アナログ放送を受信しているときであっても、大きな電力を消費してしまう。
【００２７】
しかし、上述の受信機においては、アナログ放送を受信している場合には、デジタル復調回路２８への動作電圧の供給を停止しているので、よぶんな電力消費を抑えることができる。
【００２８】
さらに、選局時には、デジタル復調回路２８の動作が停止しているので、このデジタル復調回路２８において発生するノイズ信号が選局動作や受信レベルの検出に妨害を与えることがない。また、デジタル放送の有無を正確に判別することができる。
【００２９】
図２は、アンド回路３６の一形態を示す。すなわち、検出回路３１の最終段のトランジスタＱ31がオープンコレクタとされ、このコレクタと、電源端子Ｔ31との間に、電流制限用の抵抗器Ｒ31と、ＬＥＤ３７とが直列接続される。なお、アナログ放送の放送波信号ＳA の受信レベルが所定値以上のとき、トランジスタＱ31はオンになるものとする。また、受信回路１０を、アナログ放送だけを受信する受信機に使用している場合には、以上の接続により同調表示を行うものである。
【００３０】
さらに、パルス形成回路３５の出力端がトランジスタＱ32のベースに接続され、このトランジスタＱ32のエミッタが接地に接続され、そのコレクタが抵抗器Ｒ33、Ｒ32を通じて電源端子Ｔ31に接続される。また、抵抗器Ｒ32、Ｒ33の接続中点がトランジスタＱ33のベースに接続され、そのエミッタ・コレクタ間がＬＥＤ３７に並列接続される。なお、形成回路３５の出力信号Ｐ35は、
Ｓ32＝“Ｌ”のときには“Ｌ”レベルに固定される
Ｓ32＝“Ｈ”のときには例えば0.5 秒ごとに反転する
ものとする。
【００３１】
このような構成によれば、
(1) 受信信号ＳRXがアナログ放送の放送波信号ＳA の場合
この場合には、Ｓ32＝“Ｌ”となるので、Ｐ35＝“Ｌ”となり、したがって、トランジスタＱ32はオフとなるので、トランジスタＱ33もオフとなる。また、このとき、アナログ放送を受信することによりトランジスタＱ31がオンとなる。したがって、ＬＥＤ３７は連続して点灯する。
(2) 受信信号ＳRXが共存方式の放送波信号の場合
この場合には、Ｓ32＝“Ｈ”となるので、パルスＰ35が0.5 秒ごとに反転し、したがって、トランジスタＱ33がパルスＰ35の反転に対応してオン・オフする。また、このとき、アナログ放送も受信しているので、トランジスタＱ31はオンである。したがって、ＬＥＤ３７は、パルスＰ35に同期して点滅する。
(3) 放送を受信していない場合
この場合には、トランジスタＱ31がオフなので、ＬＥＤ３７は消灯する。
【００３２】
したがって、このＬＥＤ３７の状態から放送を受信しているかどうか、受信しているとすれば、アナログ放送か共通方式の放送かを知ることができる。
【００３３】
図３に示す受信機においては、デジタル放送の有無をより確実に判別できるようにした場合である。すなわち、受信回路１０およびデジタル放送のための復調系２６〜２８などが、図１において説明したように構成されるが、アンド回路３３に代わってタイマ回路３８が設けられる。
【００３４】
そして、このタイマ回路３８に、検出回路３１、３２の検出信号Ｓ31、Ｓ32がトリガ入力として供給され、タイマ回路３８は、信号Ｓ31、Ｓ32の両方が“Ｈ”になったとき、トリガされる。そして、タイマ回路３８は、トリガされたときから所定の期間τ、例えばτ＝１秒程度の期間、その出力信号Ｓ38が“Ｈ”レベルになるものとされる。
【００３５】
さらに、復調回路２８から、この復調回路２８におけるデジタル処理の同期が取れているかどうかを示す同期フラグＳ28、例えば、同期が取れているときには“Ｈ”レベルになる同期フラグＳ28が取り出される。そして、このフラグＳ28がタイマ回路３８に供給され、Ｓ28＝“Ｈ”のときには、Ｓ38＝“Ｈ”の状態が保持される。
【００３６】
そして、その出力信号Ｓ38がパワーコントロール回路３４に供給され、Ｓ38＝“Ｈ”のとき、パワーコントロール回路３４からデジタル復調回路２８にその動作電圧が供給される。
【００３７】
さらに、パルス形成回路３５には、検出信号Ｓ32に代わって同期フラグＳ28が供給される。
【００３８】
このような構成によれば、放送を受信すると、その受信した放送にしたがって、次のような動作が行われる。
【００３９】
(1) アナログ放送を受信した場合
この場合には、Ｓ32＝“Ｌ”となるので、タイマ回路３８はトリガされず、Ｓ38＝“Ｌ”のままとなる。したがって、パワーコントロール回路３４から復調回路２８への動作電圧は供給されない。したがって、復調回路２８においては、電力は消費されない。
【００４０】
また、復調回路２８には、動作電圧が供給されていないので、Ｓ28＝“Ｌ”であり、この結果、Ｐ35＝“Ｈ”である。そして、アナログ放送を受信しているので、Ｓ31＝“Ｈ”である。したがって、Ｓ36＝“Ｈ”となるので、ＬＥＤ３７が連続して点灯する。
(2) 共存方式の放送を受信した場合
この場合には、放送を受信すると、Ｓ31＝“Ｈ”になるとともに、Ｓ32＝“Ｈ”となるので、タイマ回路３８がトリガされ、Ｓ38＝“Ｈ”となる。したがって、パワーコントロール回路３４から復調回路２８へ動作電圧が供給され、復調回路２８は、その復調処理を実行するようになる。
【００４１】
そして、デジタル放送を正常に受信しているときには、タイマ回路３８がトリガされてから期間τ（例えば１秒）を経過しないうちに、復調回路２８において同期が取れてＳ28＝“Ｈ”となる。
【００４２】
すると、この同期フラグＳ28により、Ｓ28＝“Ｈ”である間は、Ｓ38＝“Ｈ”の状態が保持される。したがって、期間τの経過後も、復調回路２８には動作電圧が供給され続けることになり、復調回路２８は復調処理を続行するので、復調回路２８からはデジタル放送によるオーディオ信号Ｌ、Ｒが出力される。
【００４３】
また、この場合には、Ｓ28＝“Ｈ”なので、パルスＰ35が0.5 秒ごとに反転する。したがって、信号Ｓ36はパルスＰ35に同期して反転することになるので、ＬＥＤ３７は点滅する。
【００４４】
一方、デジタル放送を正常に受信できないとき、例えばノイズ信号によりＳ32＝“Ｈ”となったときには、タイマ回路３８がトリガされてから期間τはもちろんのこと、期間τを経過しても、復調回路２８の同期が取れないので、Ｓ28＝“Ｌ”のままである。そして、Ｓ28＝“Ｌ”であれば、期間τが経過したとき、Ｓ38＝“Ｈ”からＳ38＝“Ｌ”となる。
【００４５】
したがって、期間τの経過時点から復調回路２８には動作電圧が供給されなくなり、電力は消費されなくなる。
【００４６】
また、期間τを経過すると、Ｓ28＝“Ｌ”になるので、Ｐ35＝“Ｈ”になり、このとき、Ｓ31＝“Ｈ”なので、Ｓ36＝“Ｈ”になる。したがって、ＬＥＤ３７は連続的に点灯する。
【００４７】
つまり、検出回路３２の検出信号Ｓ32がデジタル放送を受信できことを示したときには、まず、期間τに、復調回路２８に動作電圧を供給して復調回路２８の同期が取れるかどうかをチェックし、同期が取れるときには、デジタル放送のオーディオ信号Ｌ、Ｒを正常に復調できると判断して以後も復調回路２８を動作させる。また、ＬＥＤ３７が点滅してデジタル放送の受信できることがリスナに知らされる。
【００４８】
しかし、同期が取れるかどうかのチェックの結果、同期が取れないときには、デジタル放送のオーディオ信号Ｌ、Ｒを正常に復調できないと判断して以後復調回路２８の電源をオフにしている。また、ＬＥＤ３７が連続点灯してアナログ放送なら受信できることが知らされる。
【００４９】
(3) 放送を受信していない場合
この場合には、Ｓ31＝“Ｌ”なので、Ｓ38＝“Ｌ”であり、復調回路２８には動作電圧は供給されない。また、Ｓ31＝“Ｌ”なので、Ｓ36＝“Ｌ”であり、ＬＥＤ３７は消灯している。
こうして、この受信機によれば、デジタル復調回路２８の同期が取れるかどうかをチェックし、同期が取れるときのみ、復調回路２８を動作させるとともに、ＬＥＤ３７も点滅表示にしている。したがって、デジタル放送の有無を確実に判別することができる。
【００５０】
また、デジタル放送を正常に受信できないときには、その判別に必要な期間（すなわち、期間τ）のみ、復調回路２８に動作電圧が供給されるので、よぶんな電力消費を確実に抑えることができる。
【００５１】
図４は、受信回路１０がダイレクトコンバージョン方式に構成されている場合である。そして、アナログ放送あるいはデジタル放送を定常的に受信している場合には、その受信は次のように行われる。
【００５２】
すなわち、アンテナ１１により受信された放送波信号が、電子同調方式のアンテナ同調回路１２に供給されて目的とする周波数ｆRXの受信信号ＳRXが選択されて取り出され、この信号ＳRXが、高周波アンプ１３を通じて第１および第２のミキサ回路１４Ｉおよび１４Ｑに供給される。
【００５３】
また、局部発振回路１５がＰＬＬにより構成され、受信周波数ｆRXに等しい発振周波数で、位相が互いに90°異なる局部発振信号ＳLI、ＳLQが形成され、これら信号ＳLI、ＳLQがミキサ回路１４Ｉ、１４Ｑにそれぞれ供給される。なお、このとき、局部発振回路１５を構成しているＰＬＬのＶＣＯ（図示せず）に供給される制御電圧の一部がアンテナ同調回路１２に選局電圧として供給される。
【００５４】
こうして、ミキサ回路１４Ｉ、１４Ｑにおいて、受信信号ＳRXは中間周波信号ＳII、ＳIQに周波数変換され、これら信号ＳII、ＳIQがミキサ回路１４Ｉ、１４Ｑから取り出される。
【００５５】
この場合、局部発振信号ＳLI、ＳLQの周波数は、受信周波数ｆRXに等しいので、図５Ａの放送を受信しているときには、中間周波信号ＳII、ＳIQは、例えば図５Ｃに示すように、中間周波数は０であり、低域側にアナログ放送波信号ＳA から周波数変換された信号ＳAI、ＳAQを有するとともに、高域側にデジタル放送波信号ＳD から周波数変換された信号ＳDI、ＳDQを有する。また、このとき、局部発振信号ＳLI、ＳLQの位相に対応して信号ＳII、ＳIQの位相は互いに90°異なる。
【００５６】
そして、これら中間周波信号ＳII、ＳIQがローパスフィルタ１６Ｉ、１６Ｑに供給されて信号ＳII、ＳIQから信号ＳAI、ＳAQが取り出され、これら信号ＳAI、ＳAQがアンプ１７Ｉ、１７Ｑを通じてアナログ処理回路４０に供給される。この処理回路４０は、信号ＳAI、ＳAQに対して位相処理および演算処理などを行うとともに、ステレオ復調処理を行って信号ＳAI、ＳAQからアナログ放送におけるオーディオ信号Ｌ、Ｒを取り出すものである。
【００５７】
さらに、ミキサ回路１４Ｉ、１４Ｑからの中間周波信号ＳII、ＳIQが、バンドパスフィルタ２６Ｉ、２６Ｑに供給されて信号ＳII、ＳIQから信号ＳDI、ＳDQが取り出され、これら信号ＳDI、ＳDQがアンプ２７Ｉ、２７Ｑを通じてデジタル処理回路５０に供給される。この処理回路５０は、デジタル放送の放送方式に対応した信号処理を実行して中間周波信号ＳDI、ＳDQからオーディオ信号Ｌ、Ｒを復調するものである。
【００５８】
さらに、アンプ１７Ｉ、１７Ｑにおける中間周波信号ＳAI、ＳAQがレベル検出回路３１に供給されて検出信号Ｓ31が取り出される。また、アンプ２７Ｉ、２７Ｑにおける中間周波信号ＳDI、ＳDQがレベル検出回路３２に供給されて検出信号Ｓ32が取り出される。そして、これら検出信号Ｓ31、Ｓ32が、節電・表示回路３０において、図１（あるいは図２）の受信機において説明したように使用される。
【００５９】
したがって、この受信機においても、これまでのアナログ放送の受信回路１０に大きな手を加えなくてもデジタル放送を受信できる。また、受信した放送がアナログ放送であるか共存方式の放送であるかを、ＬＥＤ３７の点灯状態から知ることができる。
【００６０】
さらに、受信した放送にデジタル放送が含まれる場合のみ、デジタル復調回路２８に動作電圧が供給されるので、よぶんな電力消費を抑えることができる。また、選局時には、このデジタル処理回路２８において発生するノイズ信号が選局動作や受信レベルの検出に妨害を与えることがない。さらに、デジタル放送の有無を正確に判別することができる。
【００６１】
なお、上述において、パワーコントロール回路３４は、デジタル放送を受信していないときには、デジタル復調回路２８の電力消費を抑える回路であればよい。また、信号Ｓ31、Ｓ32、Ｓ28を、マイクロコンピュータおよびソフトウエアにより処理して信号Ｓ33、Ｓ36、Ｓ38を形成することもできる。
【００６２】
【発明の効果】
この発明によれば、これまでのアナログ放送の受信回路に大きな手を加えなくてもデジタル放送を受信できる。しかも、受信した放送がアナログ放送であるか共存方式の放送であるかを、表示素子の点灯状態から知ることができる。また、受信した放送にデジタル放送が含まれる場合のみ、デジタル復調回路に動作電圧が供給されるので、よぶんな電力消費を抑えることができる。
【００６３】
さらに、選局時には、デジタル復調回路の動作が停止しているので、このデジタル処理回路において発生するノイズ信号が選局動作や受信レベルの検出などに妨害を与えることがない。また、デジタル放送の有無を正確に判別することができる。さらに、デジタル復調回路の同期が取れるときのみ、復調回路を動作させているので、デジタル放送の有無を確実に判別することができる。
【図面の簡単な説明】
【図１】この発明の一形態を示す系統図である。
【図２】この発明の一部の一形態を示す接続図である。
【図３】この発明の一形態を示す系統図である。
【図４】この発明の一形態を示す系統図である。
【図５】この発明の一形態を示す周波数スペクトル図である。
【符号の説明】
１０…受信回路、１２…アンテナ同調回路、１４…ミキサ回路、１５…局部発振回路、１６…バンドパスフィルタ、１８…ＦＭ復調回路、１９…ステレオ復調回路、２６…バンドパスフィルタ、２８…デジタル復調回路、３０…節電・表示回路、３１および３２…レベル検出回路、３４…パワーコントロール回路、３５…パルス形成回路、３７…ＬＥＤ
【図１】
0003912459.tif 000002
【図２】
0003912459.tif 000003
【図３】
0003912459.tif 000004
【図４】
0003912459.tif 000005
【図５】
0003912459.tif 000006